(57)【要約】    【課題】  軽負荷ドライブモードから通常ドライブモードに移行する際に、出力電圧を上げると発生するオーバーシュート電圧を低減させることができるスイッチングレギュレータ及びスイッチングレギュレータの出力切換方法を得る。    【解決手段】  ＰＦＭ制御を行いかつ出力電圧Ｖｏが第１電圧Ｖｏ１である第１状態から、ＰＷＭ制御を行いかつ出力電圧Ｖｏが第１電圧Ｖｏ１よりも大きい第２電圧Ｖｏ２である第２状態に切り換えを行う際に、出力電圧Ｖｏが第１電圧Ｖｏ１である状態のときに、切換信号ＦＷＳを使用してＰＦＭ制御からＰＷＭ制御に切り換え、その後、電圧設定信号ＶＳを使用して出力電圧Ｖｏを第１電圧Ｖｏ１から第２電圧Ｖｏ２まで段階的に上昇させ、第２状態に移行するようにした。【選択図】  図１
2006158038.tif 000002
【特許請求の範囲】
【請求項１】
入力端子に入力された入力電圧を所定の電圧に変換して出力端子から負荷に出力する出力電圧可変のスイッチングレギュレータにおいて、
制御電極に入力された制御信号に応じてスイッチングし、前記入力電圧の出力制御を行う第１のスイッチング素子と、
該第１のスイッチング素子よりも制御電極の容量は大きいがオン抵抗が小さい、制御電極に入力された制御信号に応じてスイッチングし前記入力電圧の出力制御を行う第２のスイッチング素子と、
動作モードに応じて前記出力端子から出力される電圧が所定の電圧になるように、前記第１及び第２の各スイッチング素子に対してそれぞれＰＷＭ制御を行うか、又は第２のスイッチング素子のみに対してＰＦＭ制御を行う制御切換回路部と、
前記第１及び第２の各スイッチング素子から出力された電圧を平滑して前記出力端子に出力する平滑回路部と、
を備え、
前記制御切換回路部は、前記ＰＦＭ制御を行いかつ前記出力端子からの出力電圧が所定の第１電圧になる第１動作モードから、前記ＰＷＭ制御を行いかつ前記出力端子からの出力電圧が第１電圧よりも大きい第２電圧になる第２動作モードに移行する際、前記ＰＷＭ制御を行いかつ前記出力端子からの出力電圧を第１電圧から第２電圧に段階的に上昇させることを特徴とするスイッチングレギュレータ。
【請求項２】
前記制御切換回路部は、前記第１動作モードから第２動作モードに移行する際、前記出力端子からの出力電圧が第１電圧の状態でＰＦＭ制御からＰＷＭ制御に切り換えることを特徴とする請求項１記載のスイッチングレギュレータ。
【請求項３】
所定の電流が流れる擬似的な負荷であるダミー負荷を備え、前記制御切換回路部は、前記出力端子からの出力電圧が第２電圧になると、所定の時間、前記出力端子に該ダミー負荷を接続することを特徴とする請求項１又は２記載のスイッチングレギュレータ。
【請求項４】
前記制御切換回路部は、
前記第１のスイッチング素子に対してＰＷＭ制御を行うＰＷＭ制御回路部と、
前記第２のスイッチング素子に対してＰＦＭ制御を行うＰＦＭ制御回路部と、
前記ＰＷＭ制御回路部及び該ＰＦＭ制御回路部からの各制御信号に対して前記第２のスイッチング素子の制御電極への出力制御を行う切換回路部と、
前記ＰＷＭ制御回路部、ＰＦＭ制御回路部及び切換回路部の動作制御をそれぞれ行う制御回路部と、
を備え、
制御回路部は、第１動作モード時には、ＰＷＭ制御回路部の動作を停止させると共に切換回路部に対してＰＦＭ制御回路部からの制御信号を排他的に第２のスイッチング素子の制御電極に出力させ、第２動作モード時には、ＰＷＭ制御回路部を作動させると共に切換回路部に対してＰＷＭ制御回路部からの制御信号を排他的に第２のスイッチング素子の制御電極に出力させ、第１動作モードから第２動作モードに移行する際、ＰＦＭ制御回路部の動作を停止させると共に切換回路部に対してＰＷＭ制御回路部からの制御信号を排他的に第２のスイッチング素子の制御電極に出力させた状態で前記出力電圧を第１電圧から第２電圧に段階的に上昇させることを特徴とする請求項１又は２記載のスイッチングレギュレータ。
【請求項５】
所定の電流が流れる擬似的な負荷であるダミー負荷を備え、前記制御回路部は、前記出力端子からの出力電圧が第２電圧になると、所定の時間、前記出力端子に該ダミー負荷を接続することを特徴とする請求項４記載のスイッチングレギュレータ。
【請求項６】
前記第１動作モードは、第２動作モードよりも前記負荷に流れる電流が小さい動作モードであることを特徴とする請求項１、２、３、４又は５記載のスイッチングレギュレータ。
【請求項７】
前記制御切換回路部は、第１電圧と第２電圧との電圧差が大きいほど前記出力電圧を第１電圧から第２電圧に段階的に上昇させる段階数を多くすることを特徴とする請求項１、２、３、４、５又は６記載のスイッチングレギュレータ。
【請求項８】
前記平滑回路部は、前記第１のスイッチング素子と直列に接続され、前記制御切換回路部によってスイッチング制御される同期整流用のスイッチング素子を備え、前記第１及び第２の各スイッチング素子、制御切換回路部、同期整流用のスイッチング素子並びにダミー負荷は、１つのＩＣに集積されることを特徴とする請求項３記載のスイッチングレギュレータ。
【請求項９】
制御電極に入力された制御信号に応じてスイッチングし、入力電圧の出力制御を行う第１のスイッチング素子と、
前記第１のスイッチング素子よりも、制御電極の容量は大きいがオン抵抗が小さい、制御電極に入力された制御信号に応じてスイッチングし前記入力電圧の出力制御を行う第２のスイッチング素子と、
を備え、
動作モードに応じて、前記第１及び第２の各スイッチング素子に対してそれぞれＰＷＭ制御を行うか、又は第２のスイッチング素子のみに対してＰＦＭ制御を行う、入力端子に入力された前記入力電圧を所定の定電圧に変換して出力端子から負荷に出力する出力電圧可変のスイッチングレギュレータの出力電圧切換方法において、
前記ＰＦＭ制御を行いかつ前記出力端子からの出力電圧が所定の第１電圧になる第１動作モードから、前記ＰＷＭ制御を行いかつ前記出力端子からの出力電圧が第１電圧よりも大きい第２電圧になる第２動作モードに移行する際、前記ＰＷＭ制御を行いかつ前記出力端子からの出力電圧を第１電圧から第２電圧に段階的に上昇させることを特徴とするスイッチングレギュレータの出力電圧切換方法。
【請求項１０】
前記第１動作モードから第２動作モードに移行する際、前記出力端子からの出力電圧が第１電圧の状態でＰＦＭ制御からＰＷＭ制御に切り換えることを特徴とする請求項９記載のスイッチングレギュレータの出力電圧切換方法。
【請求項１１】
所定の電流が流れる擬似的な負荷であるダミー負荷を備え、前記出力端子からの出力電圧が第２電圧になると、所定の時間、前記出力端子に該ダミー負荷を接続することを特徴とする請求項９又は１０記載のスイッチングレギュレータの出力電圧切換方法。
【請求項１２】
前記第１動作モードは、第２動作モードよりも前記負荷に流れる電流が小さい動作モードであることを特徴とする請求項９、１０又は１１記載のスイッチングレギュレータの出力電圧切換方法。
【請求項１３】
前記第１電圧と第２電圧との電圧差が大きいほど前記出力電圧を第１電圧から第２電圧に段階的に上昇させる段階数を多くすることを特徴とする請求項９、１０、１１又は１２記載のスイッチングレギュレータの出力電圧切換方法。
【発明の詳細な説明】
【技術分野】
【０００１】
本発明は、携帯機器等に使用される出力電圧を変えることができるスイッチングレギュレータに関し、特に出力電圧を上げる際に出力電圧に発生するオーバーシュートを軽減したスイッチングレギュレータ及びスイッチングレギュレータの出力電圧切換方法に関する。
【背景技術】
【０００２】
近年、環境対策上からも省エネルギー化が求められている。携帯電話やデジタルカメラ等の電池を使用する機器においては、電池寿命を伸ばすという観点からも、機器内で消費する電力の削減の重要度は増している。このため、電源回路としては、高効率でしかも小型化が可能な、インダクタを用いた非絶縁型の降圧型スイッチングレギュレータ（以下、スイッチングレギュレータと呼ぶ）が広く用いられている。しかし、スイッチングレギュレータは、定格負荷においては高効率であるが、スイッチングレギュレータ自体の消費電流が比較的大きいため、機器がスタンバイ状態又はスリープモード等の軽負荷ドライブモードの場合は、著しく効率を低下させる。
【０００３】
そこで、軽負荷ドライブモード時にも効率を向上させるため、軽負荷ドライブモードにおいてはＰＷＭ制御からＰＦＭ制御に切り換えて、スイッチング周波数を低下させ、スイッチングレギュレータで消費する電力を削減する方法が行われていた（例えば、特許文献１参照。）。
図５は、このようなスイッチングレギュレータの例を示した回路図である。
図５において、スイッチングレギュレータ１００は、ＰＷＭ制御回路１０１とＰＦＭ制御回路１０２を備え、更に、ＰＷＭ制御回路１０１で駆動されるスイッチング素子１０３と、ＰＦＭ制御回路１０２で駆動されるスイッチング素子１０４を備えている。
【０００４】
通常動作時には、ＰＦＭ制御回路１０２が動作を停止しＰＷＭ制御回路１０１が作動してスイッチング素子１０３をオン／オフ制御し、軽負荷ドライブモード時には、ＰＷＭ制御回路１０１が動作を停止しＰＦＭ制御回路１０２が作動してスイッチング素子１０４をオン／オフ制御する。
ＰＷＭ制御時に用いるスイッチング素子１０３は、大電流が流れるため、素子サイズを大きくしてオン抵抗が小さくなるようにしているが、素子サイズが大きいためゲート容量が大きくなってしまう。
【０００５】
負荷に供給する電流（以下、負荷電流と呼ぶ）が大きい場合のスイッチングレギュレータの損失は、スイッチング素子のオン抵抗による損失が大半を占めるが、負荷電流が小さい場合は、スイッチング素子のゲート容量の充放電による損失が大半を占める。
このため、ＰＦＭ制御時に用いるスイッチング素子１０４は、素子サイズを小さくして、オン抵抗は大きいがゲート容量が小さくなるようにして、スイッチングレギュレータの効率を向上させていた。
【特許文献１】特開２００２−３００７７４号公報
【発明の開示】
【発明が解決しようとする課題】
【０００６】
しかし、スイッチングレギュレータの出力電圧を変更可能にして、電圧設定信号に応じて出力電圧を低い電圧から高い電圧に変更する場合は、図６に示すように出力電圧にオーバーシュート電圧が発生するという問題があった。該オーバーシュート電圧は、出力電圧を変更すると同時に、スイッチング素子をオン抵抗の大きいものから小さいものに変更した場合は更に大きくなるという問題があった。
【０００７】
また、負荷電流が小さい軽負荷ドライブモードでは、スイッチングレギュレータ１００を動作用電源として使用するＣＰＵ等の負荷回路が動作を停止している状態、いわゆるスリープモード又はスタンバイ状態になっている場合が多い。このような軽負荷ドライブモードでは、負荷回路の動作電圧が通常ドライブモードの動作電圧よりも小さい電圧でよい場合が多く、スイッチングレギュレータの出力電圧を下げて、負荷電流を更に小さくするようにすることが一般的であった。
しかし、このような軽負荷ドライブモードから、通常ドライブモードに移行する場合、スイッチングレギュレータの制御モードをＰＦＭ制御からＰＷＭ制御に切り換えると同時に、出力電圧を低い電圧から高い電圧に変更すると、前記したように出力電圧に大きなオーバーシュート電圧が発生し、ＣＰＵやその他の回路に不具合を発生させる恐れがあった。
【０００８】
本発明は、上記のような問題を解決するためになされたものであり、軽負荷ドライブモードから通常ドライブモードに移行する際に、出力電圧を上げると発生するオーバーシュート電圧を低減させることができるスイッチングレギュレータ及びスイッチングレギュレータの出力電圧切換方法を得ることを目的とする。
【課題を解決するための手段】
【０００９】
この発明に係るスイッチングレギュレータは、入力端子に入力された入力電圧を所定の電圧に変換して出力端子から負荷に出力する出力電圧可変のスイッチングレギュレータにおいて、
制御電極に入力された制御信号に応じてスイッチングし、前記入力電圧の出力制御を行う第１のスイッチング素子と、
該第１のスイッチング素子よりも制御電極の容量は大きいがオン抵抗が小さい、制御電極に入力された制御信号に応じてスイッチングし前記入力電圧の出力制御を行う第２のスイッチング素子と、
動作モードに応じて前記出力端子から出力される電圧が所定の電圧になるように、前記第１及び第２の各スイッチング素子に対してそれぞれＰＷＭ制御を行うか、又は第２のスイッチング素子のみに対してＰＦＭ制御を行う制御切換回路部と、
前記第１及び第２の各スイッチング素子から出力された電圧を平滑して前記出力端子に出力する平滑回路部と、
を備え、
前記制御切換回路部は、前記ＰＦＭ制御を行いかつ前記出力端子からの出力電圧が所定の第１電圧になる第１動作モードから、前記ＰＷＭ制御を行いかつ前記出力端子からの出力電圧が第１電圧よりも大きい第２電圧になる第２動作モードに移行する際、前記ＰＷＭ制御を行いかつ前記出力端子からの出力電圧を第１電圧から第２電圧に段階的に上昇させるものである。
【００１０】
また、前記制御切換回路部は、前記第１動作モードから第２動作モードに移行する際、前記出力端子からの出力電圧が第１電圧の状態でＰＦＭ制御からＰＷＭ制御に切り換えるようにした。
【００１１】
また、所定の電流が流れる擬似的な負荷であるダミー負荷を備え、前記制御切換回路部は、前記出力端子からの出力電圧が第２電圧になると、所定の時間、前記出力端子に該ダミー負荷を接続するようにした。
【００１２】
具体的には、前記制御切換回路部は、
前記第１のスイッチング素子に対してＰＷＭ制御を行うＰＷＭ制御回路部と、
前記第２のスイッチング素子に対してＰＦＭ制御を行うＰＦＭ制御回路部と、
前記ＰＷＭ制御回路部及び該ＰＦＭ制御回路部からの各制御信号に対して前記第２のスイッチング素子の制御電極への出力制御を行う切換回路部と、
前記ＰＷＭ制御回路部、ＰＦＭ制御回路部及び切換回路部の動作制御をそれぞれ行う制御回路部と、
を備え、
制御回路部は、第１動作モード時には、ＰＷＭ制御回路部の動作を停止させると共に切換回路部に対してＰＦＭ制御回路部からの制御信号を排他的に第２のスイッチング素子の制御電極に出力させ、第２動作モード時には、ＰＷＭ制御回路部を作動させると共に切換回路部に対してＰＷＭ制御回路部からの制御信号を排他的に第２のスイッチング素子の制御電極に出力させ、第１動作モードから第２動作モードに移行する際、ＰＦＭ制御回路部の動作を停止させると共に切換回路部に対してＰＷＭ制御回路部からの制御信号を排他的に第２のスイッチング素子の制御電極に出力させた状態で前記出力電圧を第１電圧から第２電圧に段階的に上昇させるようにした。
【００１３】
この場合、所定の電流が流れる擬似的な負荷であるダミー負荷を備え、前記制御回路部は、前記出力端子からの出力電圧が第２電圧になると、所定の時間、前記出力端子に該ダミー負荷を接続するようにした。
【００１４】
具体的には、前記第１動作モードは、第２動作モードよりも前記負荷に流れる電流が小さい動作モードである。
【００１５】
また、前記制御切換回路部は、第１電圧と第２電圧との電圧差が大きいほど前記出力電圧を第１電圧から第２電圧に段階的に上昇させる段階数を多くするようにした。
【００１６】
前記平滑回路部は、前記第１のスイッチング素子と直列に接続され、前記制御切換回路部によってスイッチング制御される同期整流用のスイッチング素子を備え、前記第１及び第２の各スイッチング素子、制御切換回路部、同期整流用のスイッチング素子並びにダミー負荷は、１つのＩＣに集積されるようにしてもよい。
【００１７】
また、この発明に係るスイッチングレギュレータの出力電圧切換方法は、制御電極に入力された制御信号に応じてスイッチングし、入力電圧の出力制御を行う第１のスイッチング素子と、
前記第１のスイッチング素子よりも、制御電極の容量は大きいがオン抵抗が小さい、制御電極に入力された制御信号に応じてスイッチングし前記入力電圧の出力制御を行う第２のスイッチング素子と、
を備え、
動作モードに応じて、前記第１及び第２の各スイッチング素子に対してそれぞれＰＷＭ制御を行うか、又は第２のスイッチング素子のみに対してＰＦＭ制御を行う、入力端子に入力された前記入力電圧を所定の定電圧に変換して出力端子から負荷に出力する出力電圧可変のスイッチングレギュレータの出力電圧切換方法において、
前記ＰＦＭ制御を行いかつ前記出力端子からの出力電圧が所定の第１電圧になる第１動作モードから、前記ＰＷＭ制御を行いかつ前記出力端子からの出力電圧が第１電圧よりも大きい第２電圧になる第２動作モードに移行する際、前記ＰＷＭ制御を行いかつ前記出力端子からの出力電圧を第１電圧から第２電圧に段階的に上昇させるようにした。
【００１８】
また、前記第１動作モードから第２動作モードに移行する際、前記出力端子からの出力電圧が第１電圧の状態でＰＦＭ制御からＰＷＭ制御に切り換えるようにした。
【００１９】
また、所定の電流が流れる擬似的な負荷であるダミー負荷を備え、前記出力端子からの出力電圧が第２電圧になると、所定の時間、前記出力端子に該ダミー負荷を接続するようにした。
【００２０】
具体的には、前記第１動作モードは、第２動作モードよりも前記負荷に流れる電流が小さい動作モードである。
【００２１】
また、前記第１電圧と第２電圧との電圧差が大きいほど前記出力電圧を第１電圧から第２電圧に段階的に上昇させる段階数を多くするようにした。
【発明の効果】
【００２２】
本発明のスイッチングレギュレータによれば、前記ＰＦＭ制御を行いかつ前記出力端子からの出力電圧が所定の第１電圧になる第１動作モードから、前記ＰＷＭ制御を行いかつ前記出力端子からの出力電圧が第１電圧よりも大きい第２電圧になる第２動作モードに移行する際、前記ＰＷＭ制御を行いかつ前記出力端子からの出力電圧を第１電圧から第２電圧に段階的に上昇させるようにしたことから、出力電圧を上昇させる際に発生するオーバーシュート電圧を小さくすることができ、オーバーシュート電圧による影響を受けることなく出力電圧の切り換えを行うことができる。また、ＰＷＭ制御とＰＦＭ制御にそれぞれ適したスイッチング素子を採用したことから、ＰＷＭ制御とＰＦＭ制御の両方において効率の向上を図ることができる。
【００２３】
また、所定の電流が流れる擬似的な負荷であるダミー負荷を備え、前記制御切換回路部は、前記出力端子からの出力電圧が第２電圧になると、所定の時間、前記出力端子に該ダミー負荷を接続するようにしたことから、ＰＷＭ制御に切り換えた後、直ちに負荷電流が増えないような場合においても、ＰＷＭ制御を安定して行うことができる。
【発明を実施するための最良の形態】
【００２４】
次に、図面に示す実施の形態に基づいて、本発明を詳細に説明する。
第１の実施の形態．
図１は、本発明の第１の実施の形態におけるスイッチングレギュレータの構成例を示した図である。
図１において、スイッチングレギュレータ１は、直流電源ＢＡＴから入力端子であるＶｄｄ端子に入力された入力電圧Ｖｄｄから所定の電圧を生成して出力電圧Ｖｏとして出力端子ＯＵＴから負荷２０に出力する出力電圧可変のスイッチングレギュレータである。
【００２５】
スイッチングレギュレータ１は、入力電圧Ｖｄｄの出力制御を行うためのスイッチング動作を行うＰＭＯＳトランジスタからなる第１のスイッチング素子Ｍ１と、ＮＭＯＳトランジスタからなる同期整流用のスイッチング素子Ｍ２と、平滑回路を構成するインダクタＬ１及びコンデンサＣ１と、出力電圧Ｖｏを分圧して分圧電圧ＶＦＢを生成し出力する出力電圧検出用の抵抗Ｒ１，Ｒ２とを備えている。
【００２６】
また、スイッチングレギュレータ１は、入力された電圧設定信号ＶＳに応じた電圧の基準電圧Ｖｒｅｆを生成して出力するＤ／Ａコンバータからなる基準電圧発生回路２と、前記分圧電圧ＶＦＢと該基準電圧Ｖｒｅｆとの電圧比較を行い、該比較結果に応じた電圧の出力信号Ｅｒｒを出力する誤差増幅回路３と、該誤差増幅回路３の出力信号Ｅｒｒに応じて第１のスイッチング素子Ｍ１及び同期整流用のスイッチング素子Ｍ２に対してＰＷＭ制御を行って第１のスイッチング素子Ｍ１及び同期整流用のスイッチング素子Ｍ２のスイッチング制御を行うＰＷＭ制御回路４とを備えている。
【００２７】
更に、スイッチングレギュレータ１は、Ｖｄｄ端子に入力された入力電圧Ｖｄｄの出力制御を行う、第１のスイッチング素子Ｍ１よりもトランジスタサイズが小さいＰＭＯＳトランジスタからなる第２のスイッチング素子Ｍ３と、前記誤差増幅回路３の出力信号Ｅｒｒに応じて該第２のスイッチング素子Ｍ３に対してＰＦＭ制御を行うＰＦＭ制御回路５と、所定の周波数の三角波信号ＴＷを生成してＰＷＭ制御回路４及びＰＦＭ制御回路５にそれぞれ出力する発振回路ＯＳＣとを備えている。第２のスイッチング素子Ｍ３は、第１のスイッチング素子Ｍ１よりもオン抵抗が大きく、第１のスイッチング素子Ｍ１よりもゲート容量が小さい。
【００２８】
また、スイッチングレギュレータ１は、動作モードの切り換えを指示する切換信号ＦＷＳに応じて、前記ＰＷＭ制御回路４から第１のスイッチング素子Ｍ１のゲートに出力される信号ＰＤとＰＦＭ制御回路４から出力された信号Ｓｐｆのいずれか一方を第２のスイッチング素子Ｍ３のゲートに出力する第１のスイッチＳＷ１を備えている。また、スイッチングレギュレータ１は、インダクタＬ１へ流れる電流を検出し、該検出した電流が所定値を超えて過電流となっているか否かを検出し、過電流であることを検出するとＰＷＭ制御回路４に対して第１のスイッチング素子Ｍ１及び同期整流用のスイッチング素子Ｍ２をそれぞれオフさせる過電流保護回路６を備えている。
【００２９】
更に、スイッチングレギュレータ１は、所定の電流が流れる擬似的な負荷であるダミー負荷７と、該ダミー負荷７の出力端子ＯＵＴへの接続制御を行う第２のスイッチＳＷ２と、所定のシーケンスに従って電圧設定信号ＶＳ及び切換信号ＦＷＳ，ＤＬＳをそれぞれ生成して出力する制御回路１０とを備えている。なお、基準電圧発生回路２、誤差増幅回路３、ＰＷＭ制御回路４、ＰＦＭ制御回路５、発振回路ＯＳＣ、抵抗Ｒ１，Ｒ２、第１及び第２の各スイッチＳＷ１，ＳＷ２並びに制御回路１０は制御切換回路部をなす。また、基準電圧発生回路２、誤差増幅回路３、ＰＷＭ制御回路４、発振回路ＯＳＣ及び抵抗Ｒ１，Ｒ２はＰＷＭ制御回路部を、基準電圧発生回路２、誤差増幅回路３、ＰＦＭ制御回路５、発振回路ＯＳＣ及び抵抗Ｒ１，Ｒ２はＰＦＭ制御回路部を、第１のスイッチＳＷ１は切換回路部を、制御回路１０及び第２のスイッチＳＷ２が制御回路部をそれぞれなす。また、同期整流用のスイッチング素子Ｍ２、インダクタＬ１及びコンデンサＣ１は平滑回路部をなす。
【００３０】
一方、ＰＷＭ制御回路４は、誤差増幅回路３の出力信号Ｅｒｒと発振回路ＯＳＣからの三角波信号ＴＷからＰＷＭ制御を行うためのパルス信号Ｓｐｗを生成して出力するＰＷＭ回路１１と、該ＰＷＭ回路１１からのパルス信号Ｓｐｗに応じて、第１のスイッチング素子Ｍ１のスイッチング制御を行うための制御信号ＰＤと同期整流用のスイッチング素子Ｍ２のスイッチング制御を行うための制御信号ＮＤをそれぞれ生成して駆動するドライブ回路１２とを備えている。
なお、スイッチングレギュレータ１において、インダクタＬ１及びコンデンサＣ１を除く各部は、１つのＩＣに集積されており、該ＩＣは、Ｖｄｄ、ＬＸ、ＥＣＯ、ＦＢ及びＧＮＤの各端子を備え、Ｖｄｄ端子はスイッチングレギュレータ１の入力端子をなし、ＧＮＤ端子は接地電圧に接続されている。
【００３１】
Ｖｄｄ端子とＧＮＤ端子との間には直流電源ＢＡＴが接続され、該直流電源ＢＡＴから入力電圧ＶｄｄがＶｄｄ端子に入力されている。出力端子ＯＵＴと接地電圧との間には負荷２０が接続されている。Ｖｄｄ端子とＬＸ端子との間には、第１のスイッチング素子Ｍ１と第２のスイッチング素子Ｍ３が並列に接続されており、ＬＸ端子と接地電圧との間に同期整流用のスイッチング素子Ｍ２が接続されている。また、ＬＸ端子と出力端子ＯＵＴとの間にはインダクタＬ１が接続され、出力端子ＯＵＴと接地電圧との間にはコンデンサＣ１が接続されている。インダクタＬ１とコンデンサＣ１の接続部、すなわち出力端子ＯＵＴは、ＦＢ端子に接続され、ＦＢ端子と接地電圧との間に抵抗Ｒ１と抵抗Ｒ２の直列回路が接続されている。
【００３２】
抵抗Ｒ１と抵抗Ｒ２との接続部は、誤差増幅回路３の反転入力端に接続され、誤差増幅回路３の非反転入力端には基準電圧Ｖｒｅｆが入力されている。誤差増幅回路３の出力信号Ｅｒｒは、ＰＦＭ制御回路５とＰＷＭ回路１１をなすコンパレータの反転入力端にそれぞれ出力され、発振回路ＯＳＣからの三角波信号ＴＷは、ＰＦＭ制御回路５とＰＷＭ回路１１をなすコンパレータの非反転入力端にそれぞれ出力される。ＰＷＭ回路１１からのパルス信号Ｓｐｗはドライブ回路１２に出力され、ＰＦＭ制御回路５から出力されたパルス信号Ｓｐｆは、第１のスイッチＳＷ１のＰＦＭ端子に出力される。
【００３３】
ドライブ回路１２は、第１のスイッチング素子Ｍ１のスイッチング制御を行うための制御信号ＰＤを第１のスイッチング素子Ｍ１のゲート及び第１のスイッチＳＷ１のＰＷＭ端子にそれぞれ出力し、同期整流用のスイッチング素子Ｍ２のスイッチング制御を行うための制御信号ＮＤを同期整流用のスイッチング素子Ｍ２のゲートに出力する。第１のスイッチＳＷ１のＣＯＭ端子は第２のスイッチング素子Ｍ３のゲートに接続され、過電流保護回路６はＬＸ端子に流れる電流をモニタし、該モニタした結果をドライブ回路１２に出力する。また、制御回路１０からの切換信号ＦＷＳが、ＰＦＭ制御回路５、過電流保護回路６、ＰＷＭ回路１１、ドライブ回路１２及び第１のスイッチＳＷ１にそれぞれ入力されている。更に、ＦＢ端子と接地電圧との間には、第２のスイッチＳＷ２とダミー負荷７が直列に接続され、第２のスイッチＳＷ２には制御回路１０からの切換信号ＤＬＳが入力されている。第２のスイッチＳＷ２は、切換信号ＤＬＳに応じてスイッチングを行う。
【００３４】
このような構成において、切換信号ＦＷＳは、通常ドライブモードと通常ドライブモードよりも消費電流を小さくして作動する軽負荷ドライブモードとの切り換えを行う信号である。制御回路１０は、外部からＥＣＯ端子に入力された制御信号に応じて切換信号ＦＷＳを生成して出力する。なお、制御回路１０は、負荷２０に流れる電流を測定して該電流が所定の電流以下になった場合に、軽負荷ドライブモードに切り換えるように切換信号ＦＷＳを出力してもよいし、スイッチングレギュレータ１を内蔵した機器が待機状態に移行する際に切換信号ＦＷＳを出力するようにしてもよい。また、軽負荷ドライブモードは第１動作モードを、通常ドライブモードは第２動作モードをそれぞれなす。
【００３５】
まず、切換信号ＦＷＳが通常ドライブモードを選択している場合について説明する。この場合、ＰＦＭ制御回路５は、動作を停止すると共にＰＦＭ制御回路５で消費する電流をカット、又は最小になるようにする。同時に、ＰＷＭ回路１１、ドライブ回路１２及び過電流保護回路６がそれぞれ作動し、スイッチングレギュレータ１は、同期整流方式のスイッチングレギュレータとして作動する。更に、第１のスイッチＳＷ１は、ＣＯＭ端子がＰＷＭ端子に接続されるように切り換わり、第２のスイッチング素子Ｍ３のゲートにドライブ回路１２からの制御信号ＰＤが入力される。
【００３６】
このことから、第１及び第２の各スイッチング素子Ｍ１，Ｍ３がそれぞれスイッチング動作を行い、第１及び第２の各スイッチング素子Ｍ１，Ｍ３がオンしたときに、インダクタＬ１に電流が供給される。このとき、同期整流用のスイッチング素子Ｍ２はオフしている。第１及び第２の各スイッチング素子Ｍ１，Ｍ３がそれぞれオフすると、同期整流用のスイッチング素子Ｍ２がオンし、インダクタＬ１に蓄えられていたエネルギーが同期整流用のスイッチング素子Ｍ２を通して放出される。このとき発生した電流は、コンデンサＣ１で平滑されて出力端子ＯＵＴから負荷２０に出力される。
【００３７】
また、出力端子ＯＵＴから出力される出力電圧Ｖｏは、出力電圧検出用の抵抗Ｒ１とＲ２で分圧され、該分圧電圧ＶＦＢが誤差増幅回路３の反転入力端に入力される。誤差増幅回路３の非反転入力端には基準電圧Ｖｒｅｆが入力されていることから、分圧電圧ＶＦＢと基準電圧Ｖｒｅｆの電圧差が誤差増幅回路３で増幅されてＰＷＭ回路１１の反転入力端に出力される。ＰＷＭ回路１１の非反転入力端には、発振回路ＯＳＣからの三角波信号ＴＷが入力され、ＰＷＭ回路１１は、ＰＷＭ制御されたパルス信号Ｓｐｗをドライブ回路１２に出力する。
【００３８】
スイッチングレギュレータ１の出力電圧Ｖｏが大きくなると、誤差増幅回路３の出力信号Ｅｒｒの電圧が低下し、ＰＷＭ回路１１からのパルス信号Ｓｐｗのデューティサイクルは小さくなる。その結果、第１及び第２の各スイッチング素子Ｍ１，Ｍ３がオンする時間が短くなり、スイッチングレギュレータ１の出力電圧Ｖｏが低下するように制御される。スイッチングレギュレータ１の出力電圧Ｖｏが小さくなると、前記と逆の動作を行い、結果としてスイッチングレギュレータ１の出力電圧Ｖｏが一定になるように制御される。
【００３９】
過電流保護回路６は、第１及び第２の各スイッチング素子Ｍ１，Ｍ３がオンしている間の各スイッチング素子Ｍ１，Ｍ３での電圧降下を所定の電圧と比較し、電圧降下が所定の電圧を超えた場合に所定の信号を出力し、ドライブ回路１２の動作を停止させる。ドライブ回路１２は動作を停止すると、制御信号ＰＤをハイレベルにすると共に、制御信号ＮＤをローレベルにして、第１及び第２の各スイッチング素子Ｍ１，Ｍ３並びに同期整流用のスイッチング素子Ｍ２をそれぞれオフさせる。このため、出力端子ＯＵＴからの出力電流の供給が停止する。
【００４０】
次に、切換信号ＦＷＳが軽負荷ドライブモードを選択している場合について説明する。この場合、ＰＦＭ制御回路５が作動し、ＰＷＭ回路１１、ドライブ回路１２及び過電流保護回路６がそれぞれ動作を停止すると共に、それぞれの消費電流をカット、又は最小になるようにする。また、第１のスイッチＳＷ１は、ＣＯＭ端子がＰＦＭ端子に接続されるように切り換わり、第２のスイッチング素子Ｍ３のゲートには、ＰＦＭ制御回路５からのＰＦＭ制御されたパルス信号Ｓｐｆが入力される。第２のスイッチング素子Ｍ３は、ＰＦＭ制御回路５からのパルス信号Ｓｐｆに応じてスイッチング動作を行う。このとき、ドライブ回路１２は動作を停止していることから、同期整流用のスイッチング素子Ｍ２はオフしたままである。このため、インダクタＬ１に蓄えられたエネルギーは、同期整流用のスイッチング素子Ｍ２のソース‐ドレイン間に寄生しているダイオードＤ１を介して放出される。
【００４１】
ここで、軽負荷ドライブモードから通常ドライブモードに移行する際の動作について、図２のタイミングチャートと図３のフローチャートを参照しながら説明する。なお、図２のＳ１〜Ｓ７は、図３のステップＳ１〜Ｓ７に対応している。
まずステップＳ１では、軽負荷ドライブモードであることから、制御回路１０は、基準電圧発生回路２に対して、出力電圧Ｖｏが所定の定電圧である第１電圧Ｖｏ１になるように電圧設定信号ＶＳで基準電圧Ｖｒｅｆの電圧値を設定している。更に、制御回路１０は、切換信号ＦＷＳでスイッチングレギュレータ１がＰＦＭ制御を行うようにしており、切換信号ＤＬＳで、第２のスイッチＳＷ２をオフさせて遮断状態にしている。
【００４２】
次に、ステップＳ２で、制御回路１０は、切換信号ＦＷＳを使用して、スイッチングレギュレータ１がＰＷＭ制御を行うようにする。この後、ステップＳ３で、制御回路１０は、電圧設定信号ＶＳを使用して基準電圧Ｖｒｅｆを変えることによってスイッチングレギュレータ１の出力電圧Ｖｏを段階的に大きくしていく。この際、制御回路１０は、基準電圧発生回路２から出力される基準電圧Ｖｒｅｆを変えることで出力電圧Ｖｏの調整を行っており、基準電圧発生回路２はＤ／Ａコンバータで構成されている。
基準電圧発生回路２は、制御回路１０から入力される複数ビットで構成された電圧設定信号ＶＳのビットの組み合わせに応じた電圧を生成して出力する。制御回路１０は、スイッチングレギュレータ１がＰＷＭ制御を行うようにすると、出力電圧ＶｏをαＶだけ上昇させるように電圧設定信号ＶＳを基準電圧発生回路２に出力する。なお、このとき、出力電圧Ｖｏにはオーバーシュート電圧が発生するが、出力電圧Ｖｏの変化、すなわちαＶが小さいことから、オーバーシュート電圧も小さいため不具合が発生することはない。
【００４３】
次に、ステップＳ４で、制御回路１０は、出力した電圧設定信号ＶＳが、出力電圧Ｖｏが第１電圧Ｖｏ１よりも大きい所定の定電圧である第２電圧Ｖｏ２になるような電圧に基準電圧Ｖｒｅｆを設定するデータになっているか否かを調べ、電圧設定信号ＶＳが、出力電圧Ｖｏを所定の第２電圧Ｖｏ２になるような電圧に基準電圧Ｖｒｅｆを設定するデータになっている場合（ＹＥＳ）、ステップＳ５に進む。また、ステップＳ４で、電圧設定信号ＶＳが、出力電圧Ｖｏが所定の第２電圧Ｖｏ２未満になるような電圧に基準電圧Ｖｒｅｆを設定するデータになっている場合（ＮＯ）、ステップＳ３に戻る。すなわち、ステップＳ３及びＳ４では、スイッチングレギュレータ１の出力電圧Ｖｏを第１電圧Ｖｏ１から第２電圧Ｖｏ２に段階的に上げていく処理を行い、所定の時間経過するたびに、電圧設定信号ＶＳのビットの組み合わせを変えて、出力電圧ＶｏをαＶずつ上昇させ、ステップＳ４で示すように、出力電圧Ｖｏが第２電圧Ｖｏ２に到達した段階で電圧設定信号ＶＳのビットの組み合わせを保持し、出力電圧Ｖｏを第２電圧Ｖｏ２に固定する。
【００４４】
出力電圧Ｖｏが１ステップで上昇する電圧幅であるαは、第２電圧Ｖｏ２と第１電圧Ｖｏ１との電圧差及び基準電圧発生回路２を構成するＤ／Ａコンバータのビット数で決まり、負荷２０に影響を与えない大きさのオーバーシュート電圧に抑えるように設定する。例えば、電圧幅αを約２０ｍＶに設定すると、電圧幅αが一定であるため、第１電圧Ｖｏ１と第２電圧Ｖｏ２との電圧差が大きくなるほど、第２電圧Ｖｏ２に到達するまでのステップ数は多くなる。なお、図２では、出力電圧Ｖｏが第１電圧Ｖｏ１のときの基準電圧ＶｒをＶｒ１、出力電圧Ｖｏが第２電圧Ｖｏ２のときの基準電圧ＶｒをＶｒ２としている。
【００４５】
次に、制御回路１０は、ステップＳ５で、第２のスイッチＳＷ２をオンさせて導通状態になるように切換信号ＤＬＳを出力する。このため、第２のスイッチＳＷ２はオンし、出力端子ＯＵＴと接地電圧との間にダミー負荷７が接続される。
ここで、ダミー負荷を接続する理由について説明する。
スイッチングレギュレータ１をＰＦＭ制御からＰＷＭ制御に切り換えたときには、負荷２０はまだ通常ドライブ状態になっておらず、負荷２０に流れる電流は軽負荷ドライブ状態と変わらないことから極めて小さい。このように、負荷２０に流れる電流がほとんど０の状態でＰＦＭ制御からＰＷＭ制御に切り換えると、切り換え直後は、ＰＷＭ回路１１はバースト発振等の異常動作を行い、出力電圧Ｖｏが不安定になる。
【００４６】
ただし、出力電圧Ｖｏを上昇させている間は、出力端子ＯＵＴに接続されているコンデンサＣ１に充電電流が流れるため、ＰＷＭ回路１１はバースト発振等の異常動作にならないが、出力電圧Ｖｏが第２電圧Ｖｏ２になった後は負荷電流がなくなるため、ＰＷＭ回路１１は異常動作を行い出力電圧Ｖｏが不安定になる。このような動作になるのを避けるために、出力電圧Ｖｏが第２電圧Ｖｏ２になった後、ＰＷＭ回路１１が安定した動作を行うようになるまで出力端子ＯＵＴにダミー負荷７を接続する。なお、ダミー負荷７を接続するタイミングとしては、ＰＷＭ制御に切り換えた直後に接続してもよいが、前記したように、出力電圧Ｖｏを上げている間は、異常動作が起り難いことから、出力電圧Ｖｏが第２電圧Ｖｏ２になった直後に接続することが望ましい。
【００４７】
言うまでもなく、ＰＷＭ制御に切り換えた直後から、第２電圧Ｖｏ２に達するまでの間でダミー負荷７を接続するようにしてもよいが、この場合は、ダミー負荷７を接続してから、第２電圧Ｖｏ２に達するまでの間にダミー負荷７に流れる電流で、電力が余計に消費されてしまうという問題がある。
次に、制御回路１０は、ステップＳ６では、ＰＷＭ制御が正常に行われるまでに要する時間よりも長い所定時間だけダミー負荷１８を接続した状態にし、ステップＳ７では、所定時間が経過した後、切換信号ＤＬＳを用いて、第２のスイッチＳＷ２をオフにして、本フローは終了し、軽負荷ドライブ状態から通常ドライブモードに移行する際の動作が終了する。
【００４８】
なお、図１の同期整流用のスイッチング素子Ｍ２の代わりにフライホイールダイオードＤ２を使用してもよく、この場合、図１は図４のようになる。図４では、図１と同じもの又は同様のものは図１と同じ符号で示している。図４では、フライホイールダイオードＤ２をＩＣ外に設けた場合を例にして示しているが、フライホイールダイオードＤ２にＰＮ接合型等の集積化に適したダイオードを使用した場合、フライホイールダイオードＤ２はＩＣ内に形成される。
また、前記説明では、出力電圧Ｖｏを第１電圧Ｖｏ１から第２電圧Ｖｏ２に上昇させる際、均等にαＶずつ段階的に上昇させるようにしたが、本発明は、これに限定されるものではなく、均等又は不均等にかかわらず、出力電圧Ｖｏを第１電圧Ｖｏ１から第２電圧Ｖｏ２に段階的に上昇させるようにすればよい。
【００４９】
このように、本第１の実施の形態におけるスイッチングレギュレータは、軽負荷ドライブモードから通常ドライブモードに移行する際に、出力電圧Ｖｏが第１電圧Ｖｏ１の状態で、ＰＦＭ制御からＰＷＭ制御に切り換え、その後、出力電圧Ｖｏを少しずつ段階的に上昇させるようにした。このことから、出力電圧Ｖｏを上昇させる際に発生するオーバーシュート電圧を小さく抑えることができ、オーバーシュート電圧による影響を受けることなく出力電圧Ｖｏの切り換えを行うことができる。更に、ダミー負荷を接続することにより、ＰＷＭ制御に移行した直後におけるバースト発振等の異常動作を防ぐことができる。
【図面の簡単な説明】
【００５０】
【図１】本発明の第１の実施の形態におけるスイッチングレギュレータの構成例を示した図である。
【図２】軽負荷ドライブモードから通常ドライブモードに移行する際の動作例を示したタイミングチャートである。
【図３】図１の制御回路１０の動作例を示したフローチャートである。
【図４】本発明の第１の実施の形態におけるスイッチングレギュレータの他の構成例を示した図である。
【図５】従来のスイッチングレギュレータの例を示した回路図である。
【図６】図５の出力電圧の波形例を示した図である。
【符号の説明】
【００５１】
１  スイッチングレギュレータ
２  基準電圧発生回路
３  誤差増幅回路
４  ＰＷＭ制御回路
５  ＰＦＭ制御回路
６  過電流保護回路
７  ダミー負荷
１０  制御回路
１１  ＰＷＭ回路
１２  ドライブ回路
２０  負荷
Ｍ１  第１のスイッチング素子
Ｍ２  同期整流用のスイッチング素子
Ｍ３  第２のスイッチング素子
ＯＳＣ  発振回路
ＳＷ１  第１のスイッチ
ＳＷ２  第２のスイッチ
Ｒ１，Ｒ２  出力電圧検出用の抵抗
Ｌ１  インダクタ
Ｃ１  コンデンサ
Ｄ１  寄生ダイオード
Ｄ２  フライホイールダイオード
ＢＡＴ  直流電源
【図１】
2006158038.tif 000003
【図２】
2006158038.tif 000004
【図３】
2006158038.tif 000005
【図４】
2006158038.tif 000006
【図５】
2006158038.tif 000007
【図６】
2006158038.tif 000008